(57)【特許請求の範囲】
【請求項１】
表示画面を有する情報端末装置に対し、時刻設定の基となる一のタイムゾーンを設定するタイムゾーン設定方法において、
前記タイムゾーンごとにタイムゾーンを代表する代表タイムゾーン特定情報を記憶する記憶ステップと、
前記代表タイムゾーン特定情報から構成される仮選択リストを表示し、前記仮選択リストから任意の代表タイムゾーン特定情報を選択する仮選択ステップと、
選択された代表タイムゾーン特定情報と関連付けられたタイムゾーンにおけるタイムゾーン特定情報から構成される選択リストを表示し、前記選択リストから特定のタイムゾーン特定情報を選択する選択ステップと、
選択された前記タイムゾーン特定情報により特定されるタイムゾーンを前記一のタイムゾーンとする設定ステップと
からなることを特徴とするタイムゾーン設定方法。
【請求項２】
請求項１に記載されたタイムゾーン設定方法において、
前記記憶ステップは、前記選択ステップにより選択された特定のタイムゾーン特定情報を前記代表タイムゾーン特定情報として記憶するステップをさらに備えた
ことを特徴とするタイムゾーン設定方法。
【請求項３】
一のタイムゾーンに基づいて時刻を設定する情報端末装置において、
タイムゾーンとこのタイムゾーンを特定するタイムゾーン特定情報とを関連付けて記憶する記憶部と、
タイムゾーンを特定するタイムゾーン特定情報から構成されるリストをタイムゾーンごとに表示し、前記リストから任意のタイムゾーン特定情報を選択させる選択手段と、
選択された前記タイムゾーン特定情報により特定されるタイムゾーンを前記一のタイムゾーンとする設定手段と
を備え、
前記記憶部は、さらに、前記タイムゾーンごとにタイムゾーン代表する代表タイムゾーン特定情報を記憶し、
前記代表タイムゾーン特定情報から構成される仮選択リストを表示し、前記仮選択リストから任意の代表タイムゾーン特定情報を仮選択させる仮選択手段を備え、
前記選択手段は、仮選択された代表タイムゾーン特定情報と関連付けられたタイムゾーンにおけるタイムゾーン特定情報から構成される選択リストを表示し、前記選択リストから特定のタイムゾーン特定情報を選択させる
ことを特徴とする情報端末装置。
【請求項４】
請求項３に記載された情報端末装置において、さらに、
前記選択手段により選択された特定のタイムゾーン特定情報を前記代表タイムゾーン特定情報として前記記憶部に記憶させる代表タイムゾーン特定情報設定手段を備えた
ことを特徴とする情報端末装置。
【発明の詳細な説明】
【技術分野】
【０００１】
本発明は、タイムゾーンの設定方法およびこのタイムゾーンに基づいて設定した時刻を表示する情報端末装置に関する。
【背景技術】
【０００２】
従来、タイムゾーンに合わせて時差設定した時計表示機能を備える情報端末装置がある。この情報端末装置におけるタイムゾーン設定の一般的な方法は、タイムゾーンを特定するタイムゾーン特定情報、例えば国名や主要都市名等をタイムゾーンごとにリスト表示し、このリストから選択されたタイムゾーンを設定するものである。
しかし、例えば海外渡航経験の少ない、あまり地域情報を知らないユーザがこのような情報端末装置のタイムゾーン設定を行う場合、知っているタイムゾーン特定情報がリスト表示内に含まれていないことが多いため、ユーザは、タイムゾーン設定の判断に苦労することになる。特に、同じタイムゾーンでも南北方向に遠く離れたタイムゾーン特定情報であることもあり、表示されるタイムゾーン特定情報が少ないと、ユーザによるタイムゾーン設定は、さらに難しくなる。 これを回避する手段としては、リスト表示するタイムゾーン特定情報を増やすことがあげられる。
【０００３】
【特許文献１】特開２００３−０５８２９２号公報
【特許文献２】特開平０９−０１６３６２号公報
【特許文献３】特開平０９−１５２９５５号公報
【特許文献４】特表２００２−５３９５５３号公報
【発明の開示】
【発明が解決しようとする課題】
【０００４】
しかしながら、情報端末装置のように、表示領域の大きさが制限されかつ表示可能な文字数が制限された装置においては、リスト表示は画面の制限をオーバーすることがある。また、このリスト表示の選択肢が多くなると、画面を切り替える必要があり、キー操作の回数も多くなり、操作が煩雑になる。  
【０００５】
そこで本発明は、表示の大きさが制限されかつ表示可能な文字数が制限された装置においてもタイムゾーン特定情報を多く表示し、簡単なキー操作でのタイムゾーン設定を目的とする。
【課題を解決するための手段】
【０００６】
表示画面を有する情報端末装置に対し、時刻設定の基となる一のタイムゾーンを設定する、本発明におけるタイムゾーン設定方法は、タイムゾーンを特定するタイムゾーン特定情報から構成されるリストをタイムゾーンごとに表示し、前記リストから任意のタイムゾーン特定情報を選択させる選択ステップと、選択された前記タイムゾーン特定情報により特定されるタイムゾーンを前記一のタイムゾーンとする設定ステップとからなることを特徴とする。
【０００７】
このタイムゾーン設定方法を用いた、一のタイムゾーンに基づいて時刻を設定する情報端末装置において、タイムゾーンとこのタイムゾーンを特定するタイムゾーン特定情報とを関連付けて記憶する記憶部と、タイムゾーンを特定するタイムゾーン特定情報から構成されるリストをタイムゾーンごとに表示し、前記リストから任意のタイムゾーン特定情報を選択させる選択手段と、選択された前記タイムゾーン特定情報により特定されるタイムゾーンを前記一のタイムゾーンとする設定手段とを備えることを特徴とする。
【０００８】
また、前記記憶部は、前記タイムゾーンごとにタイムゾーン代表する代表タイムゾーン特定情報を記憶し、前記代表タイムゾーン特定情報から構成される仮選択リストを表示し、前記仮選択リストから任意の代表タイムゾーン特定情報を仮選択させる仮選択手段を備え、前記選択手段は、仮選択された代表タイムゾーン特定情報と関連付けられたタイムゾーンにおけるタイムゾーン特定情報から構成される選択リストを表示し、前記選択リストから特定のタイムゾーン特定情報を選択させてもよい。
【０００９】
さらに、前記選択手段により選択された特定のタイムゾーン特定情報を前記代表タイムゾーン特定情報として前記記憶部に記憶させる代表タイムゾーン特定情報設定手段を備えてもよい。
【発明の効果】
【００１０】
本発明によれば、タイムゾーンごとにこのタイムゾーン特定情報からなる上述した選択リストを表示することによって、表示面積の狭い情報端末装置でも選択画面の中で表示す選択肢をより多く表示できるので、ユーザは少ない操作回数で目的のタイムゾーンを選択することができる。
【発明を実施するための最良の形態】
【００１１】
本実施の形態では、本発明にかかるタイムゾーン設定装置の機能を備える情報端末装置を用いて説明する。この情報端末装置は、タイムゾーンを設定する機能（以下、「タイムゾーン設定機能」という。）を有し、このタイムゾーン設定機能によりタイムゾーンが設定されると、このタイムゾーンにおける時刻を表示する。
以下、本実施の形態について図面を参照しながら説明する。
【００１２】
図１は、情報端末装置１のブロック構成図である。
図１に示すように、情報端末装置１は、表示部１０と、入力部２０と、記憶部３０と、制御部４０とから構成される。
表示部１０は、例えばディスプレイ等の表示手段である。ここには制御部４０の制御に基づいてデータを表示する。
入力部２０は、例えば十字ボタン、ファンクションボタン、テンキーやタッチパネル等の入力操作手段である。ユーザは、入力部２０を操作することによって情報端末装置１にデータを入力し、また、各種の制御指示を制御部４０に入力することができる。
【００１３】
記憶部３０は、情報端末装置１の各種動作を実現するプログラムや各種データが記憶されたメモリである  記憶部３０には、さらに選択リスト表示ＤＢ３１と時刻表示ＤＢ３２とが設けられている。
【００１４】
リスト表示ＤＢ３１は、本発明における仮選択手段および選択手段におけるリスト表示で使用されるタイムゾーン特定情報を記憶するデータベースである。このリスト表示ＤＢ３１は、タイムゾーンとこのタイムゾーンを特定するタイムゾーン特定情報とこのタイムゾーン特定情報の一部である代表タイムゾーン特定情報とを関連づけて記憶したレコードで構成される。
タイムゾーン特定情報は、例えば都市名、国旗または国際番号などタイムゾーンを特定する地域情報である。
また、代表タイムゾーン特定情報は、本発明である仮選択手段でリスト表示される所定のタイムゾーン特定情報である。
図２は、リスト表示ＤＢ３１のデータ構造の一例である。図２では、タイムゾーン特定情報を都市名とし、例えば（ａ）のタイムゾーン“ＧＭＴ＋０２：００”には、代表タイムゾーン特定情報“カイロ”とタイムゾーン特定情報“アテネ”等が記録されていることを示している。
【００１５】
時刻表示ＤＢ３２は、本発明である設定手段が、選択されたタイムゾーンを記憶するデータベースである。この時刻表示ＤＢ３２は、例えばユーザの長期滞在地などの第１の時刻のレコードとユーザの短期滞在地などの第２の時刻のレコードからなり、各レコードは、時刻設定の基となる設定タイムゾーンが関連づけられて記憶されている。
図３の（ａ）は、時刻表示ＤＢ３２のデータ構造の一例である。図３の（ａ）が示すように、例えば第２の時刻においては、設定タイムゾーン“ＧＭＴ＋０３：００”と設定タイムゾーン特定情報“ナイロビ”とが記録されている。
本実施の形態では、図３の（ａ）のように、さらに時刻表示の際に同時に表示する設定タイムゾーン特定情報も関連付けられて記憶されているとする。また、時刻設定等の詳細は後述する。
なお、説明の便宜上、本実施の形態において時刻表示ＤＢ３２は、第１の時刻のレコードと第２の時刻のレコードとからなるとしたが、さらに複数の時刻におけるレコードを記録するようにしてもよい。
【００１６】
上述した２つのデータベースは、図２、３が示すようなレコードが新規・変更・削除・読み取り等ができるものであればよく、例えば市販されたデータベースソフト、ｃｓｖまたはＸＭＬ等を用いて作成してもよいし、例えば、リスト表示ＤＢ３１の場合、タイムゾーンをコード化し、タイムゾーン特定情報ごとにタイムゾーンのコードと代表タイムゾーンかを示すフラグとを属性とするレコードの集合を管理する等、これら２つのデータベースを正規化したものでもよい。
【００１７】
制御部４０には、仮選択制御部４１と選択制御部４２と設定制御部４３と代表タイムゾーン特定情報設定制御部４４と時刻制御部４５とが設けられている。
仮選択制御部４１は、本発明である仮選択手段に相当し、入力部２０から指示（以下、仮選択指示」という。）が入力された場合に、リスト表示ＤＢ３１から読み出した代表タイムゾーンを仮選択肢とし、これをリスト化した仮選択リストを表示し、この仮選択リストから特定の代表タイムゾーン特定情報をユーザに仮選択させるものである。
図４の（ａ）は、仮選択リストの表示例である。図４では、仮選択肢“ＧＭＴ＋０２：００  カイロ”が仮選択されている。
本実施の形態では、図４の（ａ）のように、さらに代表タイムゾーン特定情報と関連づけられたタイムゾーンを加えた仮選択肢を用いる。
【００１８】
選択制御部４２は、本発明である選択手段に相当し、入力部２０から指示（以下、「選択指示」という。）が入力された場合に、仮選択された代表タイムゾーンに関連付けられたタイムゾーン特定情報をリスト表示ＤＢ３１から読み出し、このタイムゾーン特定情報を選択肢とし、これをリスト化した選択リストから特定のタイムゾーン特定情報をユーザに選択させるものである。
図５は、選択リストの表示例である。図５では、仮選択肢“アテネ”が選択されている。本実施の形態では、図５のように、選択リストとさらにこの選択リストのタイムゾーン“ＧＭＴ＋０２：００”も表示する。
【００１９】
設定制御部４３は、本発明である設定手段に相当し、入力部２０から指示（以下、「設定指示」という。）が入力された場合に、選択された特定のタイムゾーン特定情報とこの特定のタイムゾーン特定情報に関連付けられたタイムゾーンとをそれぞれ時刻表示ＤＢ３２の設定タイムゾーンと設定タイムゾーン特定情報とに設定するものである。
例えば、図５において設定指示が設定制御部４３に入力されると、設定制御部４３は、時刻表示ＤＢ３２に設定する。
図３の（ｂ）は、このとき設定された時刻表示ＤＢ３２のデータ構造の一例である。図３の（ｂ）では、図３の（ａ）と比較すると第２の時刻における設定タイムゾーン特定情報と設定タイムゾーンとがそれぞれ“ナイロビ”と“ＧＭＴ＋０３：００”から“エルサレム”と“ＧＭＴ＋０２：００”とに変更されているのがわかる。
【００２０】
代表タイムゾーン特定情報設定制御部４４は、本発明である代表タイムゾーン特定情報設定手段に相当し、入力部２０から指示（以下、「代表タイムゾーン特定情報設定指示」という。）が入力された場合に、時刻表示ＤＢ３２の代表タイムゾーン特定情報を選択されたタイムゾーン特定情報に変更するものである。
時刻制御部４５は、時刻表示ＤＢ３２に基づいて第１の時刻および第２の時刻において、時刻を設定し、この時刻とこの時刻における設定タイムゾーン特定情報とを表示部１０に表示させるものである。
上述した制御部４０は、ＣＰＵと主記憶装置などを備え、記憶部３０のプログラムを読み込んで実行することにより、上記ハードウェアが協働して本発明である各種制御を実現する。また、各機能は、複数のコンピュータ機器に分散させるようにしてもよい。
【００２１】
次に、ユーザが少ない操作回数で目的のタイムゾーンを選択させ、このタイムゾーンに基づいて設定した時刻を表示する時刻設定機能を提供するユーザインターフェースについて「１  ハードウエア」と「２  ソフトウエア」に分けて説明する。
（１  ハードウエア）
図６は、情報端末装置１の表示部１０と入力部２０を示した外観図をする。
図６の情報端末装置１は、表示部１０に相当する画面５０と、入力部２０に相当するファンクションボタン６１Ｌ、６１Ｒおよびおよび十字ボタン６２とから構成される。
以下に、各構成ごとに詳しく説明する
【００２２】
画面５０は、動的に変更できる擬似的なボタンを表示する選択表示エリア５１と第１の時刻を表示する第１時刻表示エリア５２と第２の時刻を表示する第２時刻表示エリア５３とを備える。
選択表示エリア５１内には、左エリア５１Ｌと右エリア５１Ｒとが設けられ、擬似的なボタンを表示する。このボタンの種類には、”変更”と“決定”と“戻る”とがあり、このボタンは、表示する画面によって動的に変更するされる。
図６では、左エリア５１Ｌと右エリア５１Ｒにはそれぞれ“変更”ボタンと“戻る”ボタンが表示されている。また、第１の時刻を表示する第１時刻表示エリア５２と第２の時刻を表示する第２時刻表示エリア５３ぞれぞれには、図３の（ａ）で示した設定タイムゾーン時刻に基づいた第１の時刻と設定タイムゾーン特定情報が表示されている。具体的には、第１の時刻には“パリ  ２１：０５”、第２の時刻には“ナイロビ  ２３：０５”とが表示されている。
【００２３】
ファンクションボタン６１Ｌ、６１Ｒそれぞれは、左エリア５１Ｌ、右エリア５１Ｒの擬似的に表示されたボタンに相当する。図４では、第２の時刻が選択されており、ユーザは、ファンクションボタン６１Ｌを押下することによって左エリア５１Ｌに擬似的に表示された“変更”ボタンを押下することができ、後述する第二の時刻における「１  タイムゾーン設定機能」を利用することができる。また、例えば、制御部４０が、一定期間、表示した画面を記憶部３０に記憶させ、ユーザによる“戻る”ボタンの押下による指示で、制御部４０は、画面５０に記憶させた画面を表示する等、ユーザは、ファンクションボタン６１Ｒを押下することによって右エリア５１Ｒに擬似的に表示された“戻る”ボタンを押下することができ、制御部４０に画面５０を前回表示した画面に戻す指示を入力することができる。
【００２４】
十字ボタン６２は、上ボタン６２βと下ボタン６２δとからなる上下ボタンと、左ボタン６２γと右ボタン６２αとからなる左右ボタンとから構成される。ユーザによる十字ボタン６２の押下により制御部４０に様々な指示が入力される。
例えば、ユーザは、上下ボタンの押下によりリスト表示された情報をスクロールする指示を制御部４０に入力し、例えば図６で上下ボタンの上ボタンβを押下すると第１時刻エリア５２が選択することができる。
また、ユーザは、左右のボタンの押下によりその場合の画面５０の表示内容によって様々な指示を制御部４０に入力することができる。
さらに、仮選択リストを表示する仮選択画面において、ユーザによる右ボタン６２αの押下で選択制御部５２に選択指示が入力される。
以上のように、ユーザは、入力部２０の操作で制御部４０に様々な指示を入力することができる。
【００２５】
（２  ソフトウエア）
次に、時刻設定機能の動作について、時刻設定機能の動作のフローチャートである図７を参照しながら、上述した「１  ハードウエア」の使用方法と合わせて説明する。
なお、時刻設定機能は、タイムゾーンの設定を変更する「１  タイムゾーン設定機能」とこの設定されたタイムゾーンに基づいて設定した時刻を表示する「２  時刻表示機能」とから構成されるので、以下では、「１  タイムゾーン設定機能」と「２  時刻表示機能」とに分けて説明する。
【００２６】
（１  タイムゾーン設定機能）
本実施の形態における時刻には、第１の時刻と第２の時刻とがあるが、第１の時刻と第２の時刻とにおける本機能は同じであるので、第２の時刻における本機能の説明をする。
ここでは、時刻表示ＤＢ３２のデータ構造が、図３の（ａ）から（ｂ）に設定される、つまり、第２の時刻が（ａ）の設定タイムゾーン特定情報“ＧＭＴ＋０３：００”から（ｂ）の設定タイムゾーン特定情報“ＧＭＴ＋０２：００”に設定される手順を例に説明する。
【００２７】
上述したように、図６では第２の時刻が選択されており、ユーザによるファンクションボタン６１Ｌを押下することによって左エリア５１Ｌに擬似的に表示された“変更”ボタンを押下され、仮選択制御部５１に仮選択指示が入力される。
仮選択制御部５１は、リスト表示ＤＢ３１から読み出したタイムゾーンとこのタイムゾーンにおける代表タイムゾーン特定情報を仮選択肢とし、これをリスト化した仮選択リストを表示するように表示部１０を制御する（図７、Ｓ１０１）。
図８は、タイムゾーンとこのタイムゾーンに関連付けられた代表タイムゾーン特定情報とを選択肢とする仮選択リストを表示した仮選択画面の表示遷移図である。図８の画面Ｆ００１〜００４は、ユーザによる上下ボタンの操作、具体的には上ボタン６２βと下ボタン６２δの押下で遷移した表示画面である。ユーザは、この上下ボタンの操作により表示されたリストから代表タイムゾーン特定情報を１つ仮選択する。（図７、Ｓ１０２）。例えば、画面Ｆ００１から下ボタンγを２回押下することにより画面Ｆ００３に選択を変更することができる。ここでは、画面Ｆ００３が示すように、このリストの中から“ＧＭＴ＋０２：００  カイロ”が仮選択されたものとする。
【００２８】
仮選択後、ユーザによる右ボタン６２αの押下により選択指示が選択制御部５２に入力された場合（図７、Ｓ１０３：ＹＥＳ）、選択制御部５２は、選仮選択された代表タイムゾーンに関連付けられたタイムゾーン特定情報をリスト表示ＤＢ３１から読み出し、このタイムゾーン特定情報を選択肢とし、これをリスト化した選択リストを表示するように表示部１０を制御する（図７、Ｓ１０４）。
【００２９】
図９は、選択リストをタイムゾーンごとに表示した選択画面の表示遷移図である。図９に示すように、画面５０には、初めに、仮選択された代表タイムゾーンに関連付けられた選択リストが表示される。例えば、図８のＦ００３で示すタイムゾーン“ＧＭＴ＋０２：００”が仮選択された場合、図９のＦ２０１で示す選択画面が初めに表示される。
【００３０】
画面Ｆ１０１〜３０１は、ユーザによる左右ボタンの操作、具体的には右ボタン６２αと左ボタン６２γの押下で遷移した表示画面である。ユーザは、この左右ボタンの操作により異なるタイムゾーンにおけるタイムゾーン特定情報のリスト表示を切り替えることができる。また、画面Ｆ２０１〜２０４は、ユーザによる上下ボタンの操作、具体的には上ボタン６２βと下ボタン６２δの押下で遷移した表示画面である。ユーザは、この上下ボタンの操作により選択リストから１つのタイムゾーン特定情報を選択する（図７、Ｓ１０５）。ここでは、画面Ｆ２０３が示すように、タイムゾーン特定情報“エルサレム”が選択されたものとする。
【００３１】
選択後、ユーザがファンクションボタン６１Ｌを押下すると左エリア５１Ｌに擬似的に表示された“決定”ボタンが押下され、設定指示が設定制御部４３に入力される（図７、Ｓ１０６：ＹＥＳ）。設定制御部４３は、選択されたタイムゾーンとタイムゾーン特定情報とを時刻表示ＤＢ３２における第２の時刻の設定タイムゾーンと設定タイムゾーン特定情報とにそれぞれ設定する（図７、Ｓ１０７）。
図３の（ｂ）は、ここで設定された時刻表示ＤＢ３２のデータ構造の一例である。
図３の（ｂ）が示すように、図３の（ａ）と比較すると、第２の時刻における設定タイムゾーンは、“ＧＭＴ＋０３：００”から“ＧＭＴ＋０２：００”に、設定タイムゾーン特定情報は、“ナイロビ”から“エルサレム”に変更されているのがわかる。
このように、選択リストを用いることで、ユーザは少ない操作回数で目的のタイムゾーンを選択・設定することができる。
【００３２】
次に、設定制御部４３は、代表タイムゾーン特定情報設定指示を代表タイムゾーン特定情報設定制御部４４に入力する。
代表タイムゾーン特定情報変更指示が代表タイムゾーン設定制御部４４に入力されると、代表タイムゾーン特定情報設定制御部４４は、リスト表示ＤＢ３１において、選択されたタイムゾーンにおける代表タイムゾーン特定情報を選択されたタイムゾーン特定情報に自動的に設定する（図７、Ｓ１０８）。ここでは、リスト表示ＤＢ３１のタイムゾーン”ＧＭＴ＋０３：００“の代表タイムゾーン特定情報が“エルサレム”に設定されたとする。
【００３３】
図２の（ｂ）は、ここで設定されたリスト表示ＤＢ３１の図である。図２の（ｂ）が示すように、図２の（ａ）と比較すると、タイムゾーン“ＧＭＴ＋０２：００”の代表タイムゾーン特定情報は、“カイロ”から“エルサレム”に変更されているのがわかる。そして、図４の（ｂ）は、改めてユーザがタイムゾーン設定機能を行った場合の仮選択画面である。やはり、ここでも代表タイムゾーン特定情報は、“カイロ”から“エルサレム”に変更されているのがわかる。
このように、ユーザは表示される代表タイムゾーン特定情報をユーザの好みの要素に変更することができる。
なお、本機能の説明において、仮選択リスト画面（図７、Ｓ１０１）や選択画面（図７、Ｓ１０４）の表示時での“戻る”ボタンの押下は、上述したように前回表示した画面に戻る。
【００３４】
また、本機能の説明では、ユーザが仮選択リストから仮選択した仮選択肢に基づいて、選択制御部４２が選択リストを表示する（図７のＳ１０１〜Ｓ１０３）としたが、ユーザの仮選択した仮選択肢によらず所定の仮選択肢に基づいて選択制御部４２が選択リストを表示するとしてもよい。こうすることで、ユーザは、仮選択リストを経なくても、選択リストから選択することができる。
【００３５】
逆に、仮選択リストから仮選択したタイムゾーン特定情報をタイムゾーン設定機能を実現するようにしてもよい。
例えば、図８のＦ００３の仮選択リスト画面で、ユーザがファンクションボタン６１Ｌを押下すると左エリア５１Ｌに擬似的に表示された“決定”ボタンが押下され、設定指示が設定制御部４３に入力される（図７、Ｓ１０３：ＮＯ、Ｓ１０９：ＹＥＳ）。設定制御部４３は、仮選択されたタイムゾーンとタイムゾーン特定情報とを時刻表示ＤＢ３２における第２の時刻の設定タイムゾーンと設定タイムゾーン特定情報とにそれぞれ設定する。図３の（ｃ）は、ここで設定された時刻表示ＤＢ３２のデータ構造を示した例である。また、図８のＦ００５は、ここで設定された時刻表示ＤＢ３２に基づいて時刻表示した図である。時刻表示については後述する。このようにすることで、ユーザは、選択リストを経なくても、タイムゾーン設定機能を実現することができる。
【００３６】
また、本実施の形態では、自動的に代表タイムゾーン特定情報を設定する（図７、Ｓ１０８）としたが、代表タイムゾーン特定情報の設定を行うかどうかをユーザに選択させてるようにしてもよい。以下に、この場合における具体例を説明する。
設定指示が設定制御部４３に入力されると、設定制御部４３は、代表タイムゾーン特定情報の設定をユーザに選択させる画面を表示する。図１０は、代表タイムゾーン特定情報の設定をユーザに選択させる画面の例である。
【００３７】
この画面で、ユーザによりファンクションボタン６１Ｌが押下されると左エリア５１Ｌに擬似的に表示された“ＹＥＳ”ボタンが押下され、代表タイムゾーン特定情報設定指示が代表タイムゾーン設定制御部４４に入力される。
代表タイムゾーン設定制御部４４は、上述した手順（図７、Ｓ１０６）でリスト表示ＤＢ３１を設定する。設定後、代表タイムゾーン設定制御部４４は、第２の時刻を表示する指示を時刻表示制御部４５に入力する。
【００３８】
一方、ユーザによるファンクションボタン６１Ｒが押下すると右エリア５１Ｒに擬似的に表示された“ＮＯ”ボタンが押下されると、代表タイムゾーン設定制御部４４は、代表タイムゾーン特定情報の変更を行わずに第２の時刻を表示する指示を時刻表示制御部４５に入力する。
このような代表タイムゾーン特定情報の設定画面の操作により、代表タイムゾーン特定情報の設定を行うかどうかをユーザに選択させることができる。
【００３９】
（２  時刻表示機能）
本機能は、時刻表示ＤＢ３２に基づいて時刻を表示するものである。
ここでは、第１の時刻は、第２の時刻を表示する際の基準時刻であるとする。したがって、まず第１の時刻が設定されていることが第２の時刻を表示するための前提となる。
よって、ユーザが上述したタイムゾーン設定機能を行った場合における時刻表機能を「２−１  第１の時刻の表示」と「２−２  第２の時刻の表示」とに分けて本機能を説明する。
【００４０】
（２−１  第１の時刻の表示）
代表タイムゾーン設定制御部４４から第１の時刻を表示する指示が時刻表示制御部４５に入力されると、時刻表示制御部４５は表示部１０に第２の時刻を表示する。
しかし、第１の時刻が設定されていない場合、まず第１の時刻を設定する。
図１１は、第１の時刻を設定するフローチャートである。
まず、時刻表示制御部４５に第１の時刻が入力される（Ｓ２０１）と、時刻表示制御部４５は、記憶部３０に第１の時刻を記憶する（Ｓ２０２）。
その後、時刻表示制御部４５は、第１の時刻を第１時刻表示エリア５２に表示するよう表示部１０を制御する。（Ｓ２０３）。
なお、Ｓ２０２で第１の時刻は設定されたので、Ｓ２０３のように第１の時刻を表示しなくてもよい。
（２−２  第２の時刻の表示）
図１２は、第２の時刻を設定するフローチャートである。
まず、時計表示制御部４５は、記憶部２０にある第１の時刻と第１の時刻および第２の時刻におけるタイムゾーンを取得する（Ｓ３０１）。
時計表示制御部４５は、第１の時刻および第２の時刻におけるタイムゾーンを比較して、第１の時刻を基準に第２の時刻を設定する（３０２）。
ここでは、図８のように時刻表示ＤＢ３２が設定されているので、、第１の時刻および第２の時刻設定タイムゾーンは、それぞれの“ＧＭＴ＋０１：００”と“ＧＭＴ＋０２：００”なので、第１の時刻が“２１：０５”の場合、第２の時刻は“２２：０５”となる。
時計表示制御部４５は、設定した第２の時刻を第２時刻表示エリア５３に表示するよう表示部１０を制御する（Ｓ３０３）。
図９の画面Ｆ２０５は、第１の時刻および第２の時刻のほかに各時刻における設定タイムゾーン特定情報も表示したものである。図９の画面Ｆ２０５が示すように第１の時刻“パリ  ２１：０５”と第２の時刻“エルサレム  ２３：０５”と表示されているのがわかる。
【００４１】
以上のように、タイムゾーン設定機能の選択表示画面を仮選択画面と選択画面とに分離することによって、表示面積の狭い情報端末装置１でも選択画面の中で表示すタイムゾーン特定情報をより多くリスト表示できるので、ユーザは少ない操作回数で目的のタイムゾーンを選択することができる。
なお、本発明にかかる情報端末装置１は、本発明である各機能および手段を備えたＰＤＡや携帯電話機等でもよい。
【図面の簡単な説明】
【００４２】
【図１】本発明の実施の形態にかかる情報端末装置の構成図である。
【図２】リスト表示ＤＢ３１のデータ構造の一例を示す図である。
【図３】時刻表示ＤＢ３２のデータ構造の一例を示す図である。
【図４】仮選択画面の表示例を示す図である。
【図５】選択リストの表示例を示す図である。
【図６】情報端末装置の一例を示す外観図である。
【図７】タイムゾーン設定機能の一例を示すフローチャートである。
【図８】仮選択画面の一例を示す表示画面遷移図である。
【図９】選択画面の一例を示す表示画面遷移図である。
【図１０】代表タイムゾーン特定情報を設定する画面の例を示す図である。
【図１１】第１の時刻設定および表示の手順の一例を示すフローチャートである。
【図１２】第２の時刻設定および表示の手順の一例を示すフローチャートである。
【符号の説明】
【００４３】
１…情報端末装置、１０…表示部、２０…入力部、３０…記憶部、３１…リスト表示ＤＢ、３２…時刻表示ＤＢ、４０…制御部、４１…仮選択制御部、４２…選択制御部、４３…設定制御部、４４…代表タイムゾーン特定情報設定制御、４５…時刻制御部、５０…画面、５１…選択表示エリア、５１Ｌ…左エリア、５１Ｒ…右エリア、５２…第１時刻表示エリア、５３…第２時刻表示エリア、６１Ｌ、Ｒ…ファンクションボタン、６２…十字ボタン、６２α…右ボタン、６２β…上ボタン、６２γ…左ボタン、６２δ…下ボタン
【図１】
0004774934.tif 000002
【図２】
0004774934.tif 000003
【図３】
0004774934.tif 000004
【図４】
0004774934.tif 000005
【図５】
0004774934.tif 000006
【図６】
0004774934.tif 000007
【図７】
0004774934.tif 000008
【図８】
0004774934.tif 000009
【図９】
0004774934.tif 000010
【図１０】
0004774934.tif 000011
【図１１】
0004774934.tif 000012
【図１２】
0004774934.tif 000013